(57)【要約】【課題】  小物洗濯物等を乾燥させる場合に、洗濯物がドラムの側面下側と底面にまたがるコーナ部に集まり、乾燥むらもしくは乾燥しすぎが発生しやすいという問題の解消可能な洗濯乾燥機を提供する。【解決手段】  外箱と、洗濯槽とドラムを備え、洗濯槽は、洗濯物を投入するために開口された洗濯物投入口を有し、かつ、外箱に対して横姿勢または斜め横姿勢にて支持され、ドラムは、洗濯槽の内側でドラム奥行き方向を軸として回転自在に制御され、ドラムの底面の中央には、略円筒形状の整流用蓋体が設けられており、整流用蓋体は、少なくとも側面に乾燥用空気を吹出す開口を設けたことを特徴としている。【選択図】  図２
2013074944.tif 000002
【特許請求の範囲】
【請求項１】
外箱、洗濯槽及びドラムを備えた洗濯乾燥機であって、
前記洗濯槽は、洗濯物を投入するために開口された洗濯物投入口を有し、かつ、前記外箱に対して横姿勢または斜め横姿勢にて支持され、
前記ドラムは、前記洗濯槽の内側で前記ドラム奥行き方向を軸として回転自在に制御され、
前記ドラムの底面の中央には、略円筒形状の整流用蓋体が設けられており、
前記整流用蓋体は、少なくとも側面に開口を有することを特徴とする洗濯乾燥機。
【請求項２】
前記整流用蓋体は、前記洗濯物投入口側である前面に開口を有し、前記開口は、環状に配設されたことを特徴とする請求項１記載の洗濯乾燥機。
【請求項３】
前記整流用蓋体の側面及び前面の前記開口はつながっていることを特徴とする請求項２に記載の洗濯乾燥機。
【請求項４】
前記整流用蓋体は、外側蓋体と内側蓋体で回転可能に構成され、いずれか一方を回転させることにより、乾燥用空気を吹出す開口の切換えを可能としたことを特徴とする請求項２〜３に記載の洗濯乾燥機。
【請求項５】
前記整流用蓋体の前面に、円板を回転可能に設け、前記円板を回転させることにより、前記整流用蓋体の前面から吹出す送風量を調節可能にしたことを特徴とする請求項２〜３に記載の洗濯乾燥機。
【発明の詳細な説明】
【技術分野】
【０００１】
本発明は、洗濯物を乾燥する洗濯乾燥機に関するものである。
【背景技術】
【０００２】
近年、ドラム式の洗濯乾燥機は、洗濯物が乾きやすい利点があることから、広く普及している。洗濯乾燥機の外箱内部には、洗濯物投入用の開口を有し、かつ、底が塞がれている略円筒形状の水槽が配設されている。
【０００３】
水槽は、洗濯物を出し入れする開口が、洗濯乾燥機の外箱に対して横側となる横姿勢、または斜め上側となる斜め横姿勢にて支持されている。更に、水槽の内部には、水槽と略同形状を有するドラムが配設されており、ドラムは水槽の奥行き方向に対して、平行に回動可能に制御される。
【０００４】
たとえば、特許文献１には、図１２のように、洗濯物投入用の開口１００を有し、ドラム１０１内に温風を送風する洗濯乾燥機が開示されている。この洗濯乾燥機では、ドラム１０１の奥行き方向の底面の略中央の送風口１０２から供給された空気のほとんどが、ドラム１０１内を、開口１００に向かう矢印Ｑで示す方向に流れ、開口１００から排出される。
【先行技術文献】
【特許文献】
【０００５】
【特許文献１】特開２００６−７５６１４号公報
【発明の概要】
【発明が解決しようとする課題】
【０００６】
しかしながら、特許文献１のような送風機構では、ドラム１０１奥行き方向の底面の略中央の送風口１０２から供給された空気のほとんどが、ドラム１０１内を、開口１００に向かう矢印Ｑで示す方向に開口１００から排出されてしまう。洗濯物にハンカチ、靴下、下着等の小物洗濯物が含まれている場合には、ドラム１０１の側面下側と底面にまたがるコーナ部に、小物洗濯物が集まってしまう。このような場合には、矢印Ｑの方向の気流では、これらの洗濯物を十分に乾燥することが出来ず、洗濯物に乾燥むらが生じるか、もしくは乾燥むらを解消しようとして必要以上に乾燥しすぎてしまう場合があった。また、乾燥の初期には水分を含んでいるため、小物洗濯物が含まれている場合には、ドラムのコーナ部に洗濯物が張り付き、落下しないことがあるため、矢印Ｑの方向の気流では洗濯物に十分に送風することが出来ず、乾燥時間がより必要であるという課題があった。
【０００７】
本発明は係る課題を解決するためになされたものであり、ドラムのコーナ部にも温められた空気を送風するようにした洗濯乾燥機を提供するものである。
【課題を解決するための手段】
【０００８】
前記課題を解決するため、本発明に係る洗濯乾燥機は、外箱と、洗濯槽とドラムを備え、洗濯槽は、洗濯物を投入するために開口された洗濯物投入口を有し、かつ、外箱に対して横姿勢または斜め横姿勢にて支持され、ドラムは、洗濯槽の内側でドラム奥行き方向を軸として回転自在に制御され、ドラムの底面の中央には、略円筒形状の整流用蓋体が設けられており、整流用蓋体は、少なくとも側面に乾燥用空気を吹出す開口を設けたことを特徴とする。
【発明の効果】
【０００９】
本発明によれば、ドラムのコーナ部にも温められた空気を送風することにより、洗濯物の乾燥むらもしくは乾燥しすぎを防止することができる。
【図面の簡単な説明】
【００１０】
【図１】本発明の洗濯乾燥機の外観を略示する斜視図である。
【図２】本発明の洗濯乾燥機の側面断面図である。
【図３】本発明の整流用蓋体とその周辺のＢ部拡大図である。
【図４】第１の実施例となる整流用蓋体の斜視図である。
【図５】第２の実施例となる整流用蓋体の斜視図である。
【図６】第３の実施例となる整流用蓋体の斜視図である。
【図７】第４の実施例となる整流用蓋体の斜視図である。
【図８】第５の実施例となる整流用蓋体の斜視図である。（ａ）外側蓋体の斜視図（ｂ）内側蓋体の斜視図（ｃ）外側蓋体と内側蓋体を重ねた時の斜視図（ｄ）外側蓋体と内側蓋体を重ねた時の側面断面図
【図９】第６の実施例となる整流用蓋体の斜視図である。（ａ）外側蓋体の斜視図（ｂ）内側蓋体の斜視図（ｃ）外側蓋体と内側蓋体を重ねた時の斜視図（ｄ）外側蓋体と内側蓋体を重ねた時の側面断面図
【図１０】第７の実施例となる整流用蓋体の斜視図である。（ａ）外側蓋体の斜視図（ｂ）内側蓋体の斜視図（ｃ）外側蓋体と内側蓋体を重ねた時の斜視図（ｄ）外側蓋体と内側蓋体を重ねた時の側面断面図
【図１１】第５の実施例の変形例となる整流用蓋体の斜視図である。（ａ）円板の斜視図（ｂ）内側蓋体の斜視図（ｃ）外側蓋体と内側蓋体を重ねた時の斜視図（ｄ）円板と内側蓋体を重ねた時の側面断面図
【図１２】従来例の洗濯乾燥機の内部構成を略示する縦断面図である。
【発明を実施するための形態】
【００１１】
以下、本発明の実施例を示す図面に基づいて説明する。詳細については、洗濯乾燥機の一般的な技術が適用できることはいうまでもない。
【００１２】
図１は、本発明の洗濯乾燥機１の外観を略示する斜視図である。洗濯乾燥機１の前面には、蓋体１０とドア開ボタン１３が、前面上部に操作パネル１５が、天面に給水口１７が設けてある。外箱２は、樹脂あるいは、金属板等から構成されている。洗濯物を出し入れする蓋体１０は、蓋体１０の近傍に設けられたドア開ボタン１３を押すことにより開けることができる。
【００１３】
図２は、本発明の洗濯乾燥機１の側面断面図である。洗濯乾燥機１は、外箱２、洗濯槽３、ドラム４、ドラムモータ５、操作パネル１５等を備えている。外装を構成する外箱２の内部には、洗濯槽３及びドラム４を備えている。洗濯槽３は、洗濯乾燥機１の正面に開口２０を備える大径の有底円筒体であり、外箱２の底面に立設された支持脚２１により、開口２０側を上向きとし、水平面に対して軸心を傾けた傾斜姿勢を保って弾性支持されている。
【００１４】
洗濯乾燥機１の正面には、洗濯槽３の開口２０より蓋体１０に近い位置に、蓋体１０により開閉自在に洗濯物の投入口１１が設けられ、この投入口１１と洗濯槽３の開口２０との間は、ベローズ１２により液密に封止されている。
【００１５】
ドラム４は、洗濯槽３よりもやや小径の有底円筒体である。洗濯乾燥機１の正面の開口２０は、ドラム４の開口３０より洗濯物投入口側に近い位置に配置されている。ドラム４は、洗濯槽３の奥行き方向の底面中央に固設されたドラムモータ５の回転を伝える出力軸３６の端部に連結されている。ドラム４は、ドラムモータ５の駆動により、洗濯槽３の内部で出力軸３６の同軸上にて回転するようにされている。
【００１６】
ドラム４の周壁には、多数の小孔３２が全面に亘って貫通して、形成されている。またドラム４の内面には、洗濯物（不図示）を持ち上げ及び落下させるバッフル３３が突設されている。
【００１７】
洗濯槽３の上部には、ＰＴＣ（Positive Temperature Coefficient）ヒータ３１及び送風ファン３２が配設されている。ＰＴＣヒータ３１は、乾燥用空気を加熱し、送風ファン３２は、ＰＴＣヒータ３１によって温められた乾燥用空気を送風する。ＰＴＣヒータ３１は、送風ファン３２の吐出側に配置されている。
【００１８】
洗濯乾燥機１の乾燥運転は、洗濯運転の後、脱水運転を経て行われる。この乾燥運転においては、ドラムモータ５の駆動によりドラム４を回転させると共に、ドラム４の内部に乾燥用空気が循環される。
【００１９】
送風ファン３２を駆動することにより、乾燥用空気の流れが、乾燥用空気が通る循環路内で生じる。この乾燥用空気は、ＰＴＣヒータ３１により加熱され、導入ダクト３５内に送り込まれ、導入ダクト３５内を洗濯槽３の中央部に向けて流れ、ドラム４の奥行き方向の底面４ａに形成された導入口３４を経てドラム４内に導入される。導入口３４は、ドラム４の回転中心から離れて設定された円周上に複数設けてあり、これらの導入口３４から、整流用蓋体４０内に乾燥用空気が導入され、次にドラム４内に導入される。整流用蓋体４０は、前面と側面にそれぞれ開口部を設け、蓋体４０の前面の中央には、蓋体４０を固定する蓋体固定ネジ３９を設け、整流用蓋体４０を固定している。小物洗濯物が混ざった洗濯物あるいは、小物洗濯物のみを乾燥させる場合に、ドラム４の側面下側４ｂと底面４ａにまたがるコーナ部Ａに小物洗濯物が集まる。少量の洗濯物を乾燥させる場合も、同様にコーナ部Ａに洗濯物が集まる。操作パネル１５の内側には、乾燥、洗濯及び脱水運転を制御する運転制御部１６が備えられている。
【００２０】
図３は、本発明の整流用蓋体４０とその周辺のＢ部拡大図である。整流用蓋体４０は、整流用蓋体４０の前面に吹出し口４０ａ、側面に吹出し口４０ｂを配設している。整流用蓋体４０は、蓋体固定ネジ３９により、固定されている。
【００２１】
蓋体固定ネジ３９は、整流用蓋体４０の前面から貫通させて、連結ブラケット３８にネジ止めされている。導入口３４を経由して、前面の吹出し口４０ａ及び側面の吹出し口４０ｂからドラム４内に分散して流れる。前面の吹出し口４０ａから洗濯乾燥機の正面の開口に向かって流れる乾燥用空気は、左向きを示す矢印Ｃである。側面の吹出し口４０ｂからドラム４の底面４ａに沿って上側に向かって流れる乾燥用空気は、上向きを示す矢印Ｄ１である。側面の吹出し口４０ｂからドラム４の底面４ａに沿って下側に向かって流れる乾燥用空気は、下向きを示す矢印Ｄ２である。
【００２２】
乾燥用空気は、整流用蓋体４０の前面と側面の一部に設けられた吹出し口から、ドラム４内に良好に分散して送風されることから、ドラム４内の小物洗濯物からシーツ、毛布等の大物洗濯物の混合具合にかかわらず確実に乾燥でき、乾燥むら、もしくは必要以上の乾燥しすぎを防止することができる。
【００２３】
洗濯乾燥機１の洗濯運転は、蓋体１０を開放し、投入口１１の内側に位置する開口２０、ドラム４の開口３０を経てドラム４内に洗濯物を投入し、蓋体１０を閉止した後、洗濯槽３の内部に給水し、ドラムモータ５を駆動してドラム４を回転させて行われる。ドラム４は、多数の小孔３２とバッフル３３を備えている。ドラム４の内部の洗濯物は、小孔３２を経て流入する洗濯水中に浸され、ドラム４の内側に突設されたバッフル３３により、側面上側４ｃに持ち上げ及び側面下側４ｂに落下を繰り返し、落下時にドラム４の内面に叩きつけられて洗濯される。
【００２４】
整流用蓋体４０の材質としては、ガラス繊維３０％入りポリプロピレンの樹脂を用いた。その他の材質としては、乾燥用空気に対する耐熱性と、洗剤と漂白剤等に対する耐薬品性等を有する樹脂またはステンレス等の金属でもよい。具体的な寸法として、前面の外径を１２０ｍｍ、側面の高さを１５ｍｍ、肉厚を２．５ｍｍとした。整流用蓋体４０の外側の寸法は、導入口３４からの送風がスムーズに導入される外径とした。
【００２５】
図４は、第１の実施例となる整流用蓋体４０の斜視図である。整流用蓋体４０は、吹出し口４０ａ、吹出し口４０ｂ、蓋体孔４０ｃから構成される。整流用蓋体４０の前面に吹出し口４０ａが、略台形形状で、環状に配設されている。同じく側面に吹出し口４０ｂが、長方形の形状で、環状に配設されている。蓋体固定ネジは、蓋体孔４０ｃを貫通させて、連結ブラケットにネジ止めする。取り換え方法は、蓋体固定ネジをはずして、整流用蓋体４０を取り外し、別の整流用蓋体に取り換えて、再度、蓋体固定ネジを整流用蓋体の前面側から中央開口孔を貫通させて、連結ブラケットにネジ止めする。
【００２６】
空気を吹き出す開口である前面の吹出し口４０ａと側面の吹出し口４０ｂを設けることは、両方の開口から乾燥用空気が吹出されて、小物洗濯物の混ざった中物、大物洗濯物を乾燥するのに適している。中物、大物洗濯物は、洗濯物が前面からの乾燥用空気により乾燥することができる。小物洗濯物は、ドラムのコーナ部に集まってくるので、側面の吹出し口４０ｂからの乾燥用空気により、乾燥することができる。
したがって、小物、中物、大物の混在した洗濯物全体をまんべんなく乾燥でき、乾燥むら、もしくは必要以上の乾燥しすぎを防止することができる。なお、整流用蓋体４０の前面と側面との交わる端部は、略直角であるが、曲面にしてもよい。
【００２７】
図５は、第２の実施例となる整流用蓋体４１の斜視図である。整流用蓋体４１は、吹出し口４１ｂ、蓋体孔４１ｃから構成される。前面に吹出し口を設けなかった以外は、第１の実施例と同一とした。乾燥用空気は、整流用蓋体４１の開口のない前面の裏側に当たり、次に側面の吹出し口４１ｂから吹出し、ドラムの底面に沿うように吹出される。ハンカチ、靴下等の小物洗濯物は、軽いのでドラムのコーナ部に集まる。小物、中物の単独あるいは混在した、少量の洗濯物を乾燥する場合も同様である。乾燥用空気は、側面の吹出し口４１ｂからドラム４の底面に沿うように吹出され、コーナ部にも届くので、まんべんなく乾燥することができる。
【００２８】
図６は、第３の実施例となる整流用蓋体４３の斜視図である。整流用蓋体４３は、吹出し口４３ａ、蓋体孔４３ｃから構成される。前面及び側面の吹出し口をつなげた以外は、第１の実施例と同一とした。整流用蓋体４３は、整流用蓋体４３の前面と側面にＬ字状につながる長方形の吹出し口４３ａを前面の中央から環状に配設している。したがって、前面、側面及び斜めから乾燥用空気を送風することができ、洗濯物全体に乾燥用空気があたることになり、乾燥むら、もしくは必要以上の乾燥しすぎを防止することができる。
【００２９】
図７は、第４の実施例となる整流用蓋体４４の斜視図である。整流用蓋体４４は、吹出し口４４ａ１、吹出し口４４ａ２、吹出し口４４ｂ、蓋体孔４４ｃから構成される。前面の吹出し口４４ａ２を追加した以外は、第１の実施例と同一とした。吹出し口４４ａ２は、吹出し口４４ａ１の内側に配設されている。なお、吹出し口４４ａ２を、吹出し口４４ａ１の外側に配設してもよい。小物洗濯物の混ざった中物、大物洗濯物を乾燥するのに適している。中物、大物洗濯物は、ドラムのバッフルに洗濯物が引っかかり、ドラムの中央に集まるので、前面中央側からも乾燥用空気を吹出し、ドラムの開口側まで吹出させることにより乾燥することができる。したがって、小物、中物、大物の混在した洗濯物全体に乾燥用空気があたることになり、乾燥むら、もしくは必要以上の乾燥しすぎを防止することができる。
【００３０】
図８は、第５の実施例を示す、前面と側面に開口を設けた状態の整流用蓋体４７の斜視図及び側面図である。
【００３１】
（ａ）は、外径が大きい外側蓋体４５の斜視図であり、（ｂ）は、外径が小さい内側蓋体４６の斜視図であり、（ｃ）は、整流用蓋体４７の斜視図であり、（ｄ）は、側面図である。
【００３２】
（ａ）に示すように、外側蓋体４５は、吹出し口４５ａ、吹出し口４５ｂ、中心軸４５ｃ、位置決めピン４５ｄ、表示窓４５ｆから構成される。位置決めピン４５ｄ、表示窓４５ｆを追加した以外は、第１の実施例と同一とした。
【００３３】
位置決めピン４５ｄは、外側蓋体４５を回転させた場合の位置を決めるピンである。表示窓４５ｆは、外側蓋体４５を回転させた場合の位置を表示する窓である。
【００３４】
（ｂ）に示すように、内側蓋体４６は、吹出し口４６ａ、吹出し口４６ｂ、中心軸４６ｃ、位置決め孔４６ｄ１、位置決め孔４６ｄ２から構成される。中心軸４６ｃ、位置決め孔４６ｄ１、位置決め孔４６ｄ２を追加した以外は、第１の実施例と同一とした。
【００３５】
位置決め孔４６ｄ１は、位置決めピン４５ｄに対応した位置決めの孔である。４６ｄ２、４６ｄ３も同じく、位置決めピン４５ｄに対応した位置決めの孔である。Ｘは、刻印文字で、Ｙ、Ｚも同一で刻印文字である。なお、刻印文字を用いたが、文字の代わりに記号等でもよく、刻印以外の表示方法でもよい。内側蓋体４６は、連結ブラケットに固定され、回転しない。
【００３６】
（ｃ）は、整流用蓋体４７で、前面と側面に吹出し口がある場合の斜視図である。整流用蓋体４７は、吹出し口Ｋ、吹出し口Ｌ、中心軸４５ｃ、表示窓４５ｆ、刻印文字「Ｘ」から構成される。中心軸４５ｃ、表示窓４５ｆ、刻印文字「Ｘ」を追加した以外は、第１の実施例と同一とした。外側蓋体４５を回転させることで、表示窓４５ｆの表示を刻印文字「Ｘ」表示されるように切換えを行なった。
【００３７】
（ｄ）に示すように、整流用蓋体４７は、中心軸４５ｃと中心軸４６ｃを嵌合させたものであり、吹出し口４５ａと吹出し口４６ａ、吹出し口４５ｂと吹出し口４６ｂが貫通するように、外側蓋体４５を回転させた場合である。このとき、位置決めピン４５ｄが、位置決め孔４６ｄ１に入り込み、表示窓４５ｆから刻印文字「Ｘ」が表示された。
【００３８】
外側蓋体４５を回転方法は、内側蓋体４６の中心軸４６ｃの外周に挿入した不図示のスプリングの応力を利用して、外側蓋体４５を内側蓋体４６から洗濯物投入口側の方向に引き上げる。次に外側蓋体４５を所定の位置に回転させる。次に手を離すと、不図示のスプリングバネの応力で、内側蓋体４６と重なる。
【００３９】
外側蓋体４５と内側蓋体４６の材質は、ガラス繊維３０％入りポリプロピレンの樹脂を用いた。外側蓋体４５と内側蓋体４６は、その他の材質としては、乾燥用空気に対する耐熱性と、洗剤と漂白剤等に対する耐薬品性等を有する、樹脂またはステンレス等の金属を用いてもよい。樹脂を用いた場合の具体的な寸法として、外側蓋体４５の外側の寸法は、前面の外径を１２０ｍｍ、側面の高さを１５ｍｍ、肉厚を略２．５ｍｍとした。外側蓋体４５の内側に挿入される内側蓋体４６の寸法は、前面の外径を略１１４ｍｍ、側面の高さを略１２ｍｍ、肉厚を２．５ｍｍとした。
【００４０】
整流用蓋体４７の吹出し口の開口の切換えは、内側蓋体４６または、内側蓋体４６及び外側蓋体４５の両方を回転させる構造としてもよい。整流用蓋体４７の開口形状を変え、回転角度を無段階にすることで開口の開閉領域を調整できるようにしてもよい。なお、整流用蓋体４７は、外側蓋体４５を回転させて、整流用蓋体４７の前面と側面の開口を切換えたが、内側蓋体４６、または内側蓋体４６及び外側蓋体４５の両方を回転させる構造としてもよい。
【００４１】
図９は、第６の実施例を示す、前面の開口を塞ぎ、側面に開口を設けた状態の整流用蓋体４７の斜視図及び側面図である。
【００４２】
（ａ）、（ｂ）については、第５の実施例と同一である。（ｃ）は、整流用蓋体４７で、前面が塞がれ、側面に吹出し口がある場合の斜視図である。整流用蓋体４７は、吹出し口Ｌ、中心軸４５ｃ、表示窓４５ｆ、刻印文字「Ｙ」から構成される。中心軸４５ｃ、表示窓４５ｆ、刻印文字「Ｙ」を追加した以外は、第１の実施例と同一とした。外側蓋体４５を回転させることにより、表示窓４５ｆの表示を刻印文字「Ｙ」に切換えを行なった。（ｄ）に示すように、整流用蓋体４７は、中心軸４５ｃと中心軸４６ｃを嵌合させたものであり、吹出し口４５ｂと吹出し口４６ｂが貫通するように、外側蓋体４５を回転させた場合である。このとき、位置決めピン４５ｄが、位置決め孔４６ｄ２に入り込み、表示窓４５ｆから刻印文字「Ｙ」が表示された。
【００４３】
図１０は、第７の実施例を示す、前面に開口を設け、側面の開口を塞いだ状態の整流用蓋体４７の斜視図及び側面図である。
【００４４】
（ａ）、（ｂ）については、第５の実施例と同一である。（ｃ）は、整流用蓋体４７で、前面に吹出し口があり、側面が塞がれた場合の斜視図である。整流用蓋体４７は、吹出し口Ｋ、中心軸４５ｃ、表示窓４５ｆ、刻印文字「Ｚ」から構成される。刻印文字「Ｚ」を追加した以外は、第１の実施例と同一とした。外側蓋体４５を回転させることにより、表示窓４５ｆの表示を刻印文字「Ｚ」に切換えを行なった。（ｄ）に示すように、整流用蓋体４７は、中心軸４５ｃと中心軸４６ｃを嵌合させたものであり、吹出し口４５ａと吹出し口４６ａが貫通するように、外側蓋体４５を回転させた場合である。このとき、位置決めピン４５ｄが、位置決め孔４６ｄ３に入り込み、表示窓４５ｆから刻印文字「Ｚ」が表示された。
【００４５】
効果については、第５の実施例、第６の実施例は、それぞれ第１の実施例、第２の実施例での場合と同一である。さらに、第１の実施例の整流用蓋体を開口の違う別の整流用蓋体への差替えが、蓋体固定ネジを外して、整流用蓋体を取り換えるという手間がかかったが、第５の実施例、第６の実施例では外側蓋体４５を回転させることで、容易に別の吹出し口に切換えが可能である。さらに、蓋体固定ネジの紛失の心配がない。蓋体固定ネジの取り外しによる連結ブラケットのネジ穴と蓋体固定ネジのネジ山の摩耗や潰れがない。
【００４６】
整流用蓋体４７の前面の吹出し口Ｋと側面の吹出し口Ｌは、連動あるいは、独立して大小に変えるようにしてもよい。
【００４７】
図１１は、第５の実施例の変形例としては、外側蓋体４５の代わりに、外側蓋体４５の前面形状と同一形状の金属製または樹脂製の円板４８を設けた。第５の実施例の変形例である整流用蓋体４９は、円板４８、内側蓋体４６から構成される。外側蓋体４５の代わりに円板４８を設けた以外は、第５の実施例と同一とした。前面の吹出し口の開口は、整流用蓋体４７の場合と同一で可変可能である。側面の吹出し口の開口は、内側蓋体４６の吹出し口４６ｂと同一であり、可変できない。円板４８を回転させ、刻印文字「Ｘ」、「Ｙ」、「Ｚ」の表示位置で止めることで、前面の送風量等を容易に切換えが可能である。前面の送風量を切換えることで、副次的に側面の送風量を切換えることになる。洗濯物の種類に合わせて、送風量が前面と側面で適量に吹出す、前面と側面の吹出し口の開口形状、配置にしてもよい。円板４８を回転させ、所定位置で止めることで、送風量を調節可能にした。
【００４８】
整流用蓋体４９の前面の吹出し口の閉口の場合は、円板４８を回転させ、円板４８の吹出し口を、整流用蓋体の前面の吹出し口と吹出し口の間に配置させる。なお、円板４８は、位置決めピン４５ｄ、表示窓４５ｆを設けなくてもよい。内側蓋体４６の位置決め孔４６ｄ１、４６ｄ２、４６ｄ３と刻印文字「Ｘ」、「Ｙ」、「Ｚ」を設けなくてもよい。円板４８の固定は、第１の実施例と同様に蓋体固定ネジを用いてもよい。蓋体固定ネジを図示の円板の前面から貫通させて、内側蓋体４６を連結ブラケットにネジ止めしてもよい。この場合、円板４８を回転する場合は、蓋体固定ネジを緩め、円板４８のみを回転させて所定の開口にした後に蓋体固定ネジを締める。
【００４９】
整流用蓋体の前面と側面の吹出し口の孔形状は、台形、長方形以外に正方形、円形、楕円、小判形状等でもよい。また、吹出し口の開口にメッシュ状のラス板、もしくはパンチングメタルを用いてもよい。これにより、小さな小物や外れたボタンが整流用蓋体４０の吹出し口から内部に入り込むのを防止できる。あるいは、吹出し口を含めた前面一部か全体、または側面一部か全体にメッシュ状のラス板、もしくはパンチングメタルの蓋体等でカバーしてもよい。また、メッシュ状のラス板、もしくはパンチングメタルの蓋体等は、整流用蓋体前面の平面と平行に設けてもよく、あるいは、凸状に半円、楕円等に外側に飛び出した形状としてもよい。また、整流用蓋体の吹出し口の送風の吹出し量と風速を前面と側面で連動あるいは、独立して変えるようにしてもよい。
【００５０】
以上の実施例においては、洗濯槽３及びドラム４が、斜め横姿勢に支持された洗濯乾燥機１、いわゆる斜めドラム式の洗濯乾燥機１について説明したが、本発明は、洗濯槽３及びドラム４が横姿勢に支持された洗濯乾燥機１、いわゆる横ドラム式の洗濯乾燥機１にも適用してもよい。
【００５１】
以上で説明した実施例はあくまで本発明を実施するに当たっての一例であり、本発明はそれらに限定されるものではない。上述した実施例に開示された技術的手段に周知慣用技術を適宜組み合わせて得られる態様についても本発明の技術的範囲に含まれる。
【符号の説明】
【００５２】
１  洗濯乾燥機
２  外箱
３  洗濯槽
４  ドラム
５  ドラムモータ
２０、３０  開口
３１  ＰＴＣヒータ
３２  送風ファン
３３  バッフル
３４  導入口
３５  導入ダクト
３６  出力軸
３８  連結ブラケット
３９  蓋体固定ネジ
４０  整流用蓋体（４１、４３、４４、４７、４９）
４０ａ、４０ｂ  吹出し口
４０ｃ  蓋体孔（４１ｃ、４３ｃ、４４ｃ）
４５  外側蓋体
４５ａ、４５ｂ  吹出し口
４５ｃ  中心軸（４６ｃ）
４５ｄ  位置決めピン
４５ｆ  表示窓
４６  内側蓋体
４６ａ、４６ｂ  吹出し口
４６ｄ１、４６ｄ２、４６ｄ３  位置決め孔
４８  円板
【図１】
2013074944.tif 000003
【図２】
2013074944.tif 000004
【図３】
2013074944.tif 000005
【図４】
2013074944.tif 000006
【図５】
2013074944.tif 000007
【図６】
2013074944.tif 000008
【図７】
2013074944.tif 000009
【図８】
2013074944.tif 000010
【図９】
2013074944.tif 000011
【図１０】
2013074944.tif 000012
【図１１】
2013074944.tif 000013
【図１２】
2013074944.tif 000014